(57)【特許請求の範囲】
【請求項１】
不透明な容器本体と、容器本体の口筒部に取着され、上端にノズルヘッドを取着したポンプと、容器本体の胴周壁内に、上昇可能に嵌挿された摺動底板と、容器本体の下端に取着され笛支持筒を立設した底蓋とからなる液注出容器であって、
摺動底板は、下端に底板を連設した筒体を具備し、底板下面に係止片を設け、該係止片に栓体を吊り下げた線材を連設した係止リングを取着し、
底蓋は、底板と側周壁とからなり、底板に、笛を支持する笛支持筒を立設し、
前記栓体は、笛本体の上端を閉鎖する栓部を有し、
笛本体は、下端が大気と連通し、空気の通過によって音を発生するようにしたことを特徴とする液注出容器。
【請求項２】
栓体は、その栓部底面に空気が流通する小孔を設けていることを特徴とする請求項１記載の液注出容器。
【発明の詳細な説明】
【技術分野】
【０００１】
本発明は、液注出容器、とくに不透明な容器本体に収納した内容物が一定の残量となったときを確認可能としたポンプ付底上げタイプのクリーム状液注出容器に関するものである。
【背景技術】
【０００２】
不透明な容器本体に内容物を収納したポンプ付底上げタイプのクリーム状液注出容器において、摺動底板が一定の上昇位置に達したときに、摺動底板の下面に装着した球体を落下させ、その状態で容器を振ると、球体が容器内面に衝突して音を発生するようにした容器は、従来より知られている（例えば、特許文献１参照）。
【特許文献１】特開２００２−３２０８８６号公報
【発明の開示】
【発明が解決しようとする課題】
【０００３】
しかしながら、上記特許文献１記載の容器では、摺動底板の球体保持部が、ポンプのシリンダー下端に圧接したときに、球体が落下するようにしており、そのため、内容液が無くなったときはわかるが、内容液が少なくなり、一定の残量となったときを知ることはできなかった。
そのため、新しい容器を求め、それとの交換を準備しておく時期がわからないという問題が生じるおそれがあった。
【０００４】
本発明は、上記問題を解決することを課題とし、遮光のために不透明な容器本体を具えた液注出容器において、内容液の注出時に、内容液が残り少なくなり一定量の残量となったときを、笛による音の発生により知ることができるようにしたポンプ付底上げタイプのクリーム状液注出容器を提供することを目的とする。
【課題を解決するための手段】
【０００５】
本発明は、上記の課題を解決するため、液注出容器として、不透明な容器本体と、容器本体の口筒部に取着され、上端にノズルヘッドを取着したポンプと、容器本体の胴周壁内に、上昇可能に嵌挿された摺動底板と、容器本体の下端に取着され笛支持筒を立設した底蓋とからなる液注出容器であって、摺動底板は、下端に底板を連設した筒体を具備し、底板下面に係止片を設け、該係止片に栓体を吊り下げた線材を連設した係止リングを取着し、底蓋は、底板と側周壁とからなり、底板に、笛を支持する笛支持筒を立設し、前記栓体は、笛本体の上端を閉鎖する栓部を有し、笛本体は、下端が大気と連通し、空気の通過によって音を発生するようにしたことを特徴とする構成を採用する。
また、栓体の実施例として、栓体が、その栓部底面に空気が流通する小孔を設けていることを特徴とする構成を採用する。
【発明の効果】
【０００６】
摺動底板の底板下面の係止片に、一定の長さを有する線材によって笛支持体を閉鎖する栓体を吊り下げ，底蓋の底板に、下端が外気を連通する笛本体を支持する笛支持体を立設し、摺動底板が一定の上昇位置になったとき、栓体が笛支持体から取外され、音を発生するようにしたので、内容液の残量が一定量になったことを知ることができる。
また、線材の長さを変えることによって、確認しようとする残量を調節することができる。
【発明を実施するための最良の形態】
【０００７】
次に、本発明の液注出容器の実施形態について、図面を参照して説明する。
図１において、Ａは容器本体、Ｂは上端にノズルヘッドＣを取着したポンプ、Ｄは摺動底板、Ｅは底蓋である。
容器本体Ａは、不透明な合成樹脂で形成され、内容液として遮光が必要なクリーム状液が収納されている。
【０００８】
容器本体Ａは、口筒部１と肩部２，下端を開放端とした胴周壁３とからなっており、口筒部１には、ねじ４が螺設されている。
胴周壁３下端には、底蓋Ｅの取付部５が形成されている。
【０００９】
ポンプＢは、シリンダー１０とピストン１１を具えており、シリンダー１０は、ねじ４に螺合するねじを螺設し、ガイド筒を具えた取付キャップ１２によって、容器本体Ａの口筒部１に取着されている。
シリンダー１０の下端底面には、吸込弁１３が設けられており、ピストン１１の下端部周面には、ピストン弁１４が配設され、ピストン１１の上下動に応じて、シリンダー室１０ａからピストン１１内に、開口を通じて内容液を圧入するようになっている。
【００１０】
ピストン１１のステム１５には、ノズル１６を設けたノズルヘッドＣが取付筒１７を介して装着されており、ノズルヘッドＣと取付キャップ１２との間には、スプリング１８が弾装されている。
【００１１】
ポンプＢ、ノズルヘッドＣは、ノズルヘッドＣを上下動することによってノズル１６より内容液を吐出できるものであればよく、その構成は、従来より公知のものを採用することができ、前記のポンプ装置に限定されない。
【００１２】
図１．２に示すように、摺動底板Ｄは、胴周壁３内面に摺動自在に嵌挿されるスカート状の弾性周壁２０を連設した環状の傾斜板２１と、該傾斜板２１の内周縁から垂設され、下端に底板２２を連設した筒体２３とからなっている。
傾斜板２１の傾斜角度は、肩部２の傾斜とほぼ一致しており、筒体２３は、ポンプＢのシリンダー１０下部外周を覆う大きさとなっており、ポンプＢの吸上げによって摺動底板Ｄの上方の内容液は、ほぼ完全に注出される。
【００１３】
底板２２の下面には、下端に膨出環を設けた係止片２４が垂設されており、該係止片２４には、下端に円筒状の栓体２５を吊り下げた線材２６を連設した係止リング２７が嵌挿係止されている。
【００１４】
栓体２５は、円筒体２８とその下方を縮径した円筒状の栓部２９とからなり、栓部２９の底面３０には中心に空気が連通する小孔３１が穿孔されている。
また、底面３０の小孔３１に変え、栓体２５の周面に空気が連通する通気溝を設けてもよい。
係止リング２７、線材２６、球状の振り子２５は、一体形成されているが、別体として形成、結合してもよい。
【００１５】
底蓋Ｅは、底板３５と、該底板３５の周縁に立設された側周壁３６とから構成され、底板３５には、摺動底板Ｄの底板２２を載置する支持筒３７と笛保持筒３８が立設されている。
支持筒３７の外周、該外周と底板３５との間には、補強リブ３９が設けられている。
【００１６】
笛保持筒３８は、支持体３７内側に立設されており、上方部には段部４０が設けられ、その上端は栓体２５の栓部２９が嵌挿される密閉部４１となっている。
笛保持筒３８の下方は縮径され、笛４２の嵌挿部４３となっている。
【００１７】
笛４２は、段部４０に載置されるフランジ部４４と、笛本体４５とからなっており、笛本体４５は、小孔３１に連通する空気孔と、リード弁その他公知の音発生機構を具え、空気の通過により音が発生する音発生孔が設けられており、音発生孔は、栓部２９によって閉鎖されている。
笛本体４５の下端は、笛保持筒３８より突出し、大気と連通している。
笛４２の音の強さ、音色などは音発生機構を選択することによって適宜に決定できる。
【００１８】
次に、本液注出容器の作用効果について説明する。
本発明の液注出容器には、内容物として、クリーム状液が収納され、ノズルヘッドＣの押下げ操作により、容器本体Ａ内の内容液がポンプＢによって吸上げられ、ノズル１６から吐出される。
【００１９】
内容液の吸上げに応じて容器本体Ａ内が負圧となり、摺動底板Ｄが上昇するとともに、底蓋Ｅの笛本体４５の下端から空気孔、栓本体の小孔３１を通じて大気が導入される。
摺動底板Ｄの上昇に応じて、底板２２下面の係止片２４に係合する係止リング２７を通じて線材２６が引上げられ、摺動底板Ｄが一定の位置まで上昇すると、図３に示すように、線材２６が引張られ、一定の張力が付与される。
【００２０】
さらに上昇すると、図４に示すように、栓体２５は、笛支持筒３８から取外される。
栓体２５の取外しにより、空気は大径の音発生孔を通じて流れ、音が発生し、笛４２が鳴ることになる。
その際、取外し時には、空気が急激に流れるので、音の発生は際立ち、明確に認識することができる。
栓体２５が取外された後には、空気の流通は、大径の音発生孔を通じて流入され、内容液の吸上げ毎に音が発生し、笛４２が鳴る。
【００２１】
したがって、内容液が注出され、一定の残量となると笛が鳴るので、一定の残量となったことを確認できる。
また、その後には、注出毎に音が発生し笛が鳴るので、内容液が残り少なくなっていることを確認することができ、次の新しい液注出容器を準備しなければならならいことを知ることができる。
【００２２】
確認したい一定量の残量を変えるときには、線材２６の長さを調節することによって、適宜変更することができる。
【００２３】
前記実施形態では、音発生孔と、空気孔を具えた笛本体５４を用いたが、音発生機構によっては、小孔３１を通じて流れる場合には、音が発生せず、栓体２５を取外すことによって流れる場合には、音が発生するようにできるので、笛本体４５内の空気孔はなくてもよい。
【００２４】
また、前記実施形態では、栓体に小孔３１を設け、摺動底板の上昇に伴う大気の導入を、常時笛本体を通じて行っていたが、別実施例として、栓体の小孔３１をなくして、大気の導入を別々に行い、底蓋の笛支持筒の周辺の底板に大気導入孔を穿孔して、栓体による笛支持筒の閉鎖時には、該大気導入孔を通じて空気を導入し、栓体が取外された後には、笛本体を通じて、大気を導入するようにしてもよい。
【００２５】
本実施例の場合、栓体が取外されたときに音が発生し、その後もより大径の笛本体を通じて大気が流入されるので、実施形態と同様の作用効果が得られる。
さらに、栓体が取外されたときに、大気導入孔を通じる流路を遮断するようにしてもよい。
【産業上の利用可能性】
【００２６】
本発明は、ポンプ付底上げタイプの液注出容器において、摺動底板の一定の上昇に伴い、底蓋の笛支持体を閉鎖する栓体を取外し、音を発生し、笛をならすようにしたので、内容物が、一定の残量以下になったことを知ることができる。
そして、本発明は、内容液の種類にかかわらず、不透明な容器本体を有する液注出容器に利用でき、さらには、半透明な容器の場合にも利用することができる。
【図面の簡単な説明】
【００２７】
【図１】本発明液注出容器の一部断面立面図である。
【図２】上昇中の摺動底板と底蓋とを拡大した一部断面立面図である。
【図３】摺動底板が一定位置に上昇したときの一部断面立面図である。
【図４】栓体が笛保持筒から離れたときの一部断面立面図である。
【符号の説明】
【００２８】
Ａ      容器本体
Ｂ      ポンプ
Ｃ      ノズルヘッド
Ｄ      摺動底板
Ｅ      底蓋
１      口筒部
２      肩部
３      胴周壁
４      ねじ
５      取付部
１０    シリンダー
１０ａ  シリンダー室
１１    ピストン
１２    取付キャップ
１３    吸込弁
１４    ピストン弁
１５    ステム
１６    ノズル
１７    取付筒
１８    スプリング
２０    弾性周壁
２１    傾斜板
２２    底板
２３    筒体
２４    係止片
２５    栓体
２６    線材
２７    係止リング
２８    円筒体
２９    栓部
３０    底面
３１    小孔
３５    底板
３６    側周壁
３７    支持筒
３８    笛保持筒
３９    補強リブ
４０    段部
４１    密閉部  
４２    笛      
４３    嵌挿部  
４４    フランジ
４５    笛本体
【図１】
0004584078.tif 000002
【図２】
0004584078.tif 000003
【図３】
0004584078.tif 000004
【図４】
0004584078.tif 000005